(57)【要約】【課題】弦の振動を示す電気信号に弦楽器の共鳴音を付加するとともに、ユーザが意図的に胴の共鳴音の鳴り方を強めたりあるいは弱めたりする、さらにはその操作を簡単にすること、また、その共鳴音に起因して生じるハウリングが起きないようにすること。【解決手段】本発明の実施形態に係るギターは、弦の振動を示すオーディオ信号に、弦が張られた弦楽器の胴の共鳴に応じた周波数特性を持つフィルタにより畳み込み演算を行って、胴の共鳴を再現したオーディオ信号を出力する。このとき、変更部は、周波数特性における特定周波数範囲内の複数のピーク波形の幅を保ちながら、ピーク値の大きさ変化させるようにフィルタ係数を変更する。これにより、放音部から放音される胴の共鳴音を持つオーディオ信号の影響によるハウリングを抑制したり、胴の共鳴音の特徴を強調したりすることができる。【選択図】図３
2011197325.tif 000002
【特許請求の範囲】
【請求項１】
弦の振動を示す信号を取得する取得手段と、
前記弦が張られた弦楽器の胴の共鳴に応じたピーク波形が特定周波数範囲内に複数現れる周波数特性になるようにフィルタ係数が設定され、前記取得手段によって取得された信号に対して畳み込み演算を行って出力するフィルタと、
前記周波数特性における前記ピーク波形の各々の幅を保ったまま当該ピーク波形の各々のピーク値を変化させるように、前記フィルタ係数を変更する変更手段と
を具備することを特徴とする信号処理装置。
【請求項２】
前記フィルタは、前記弦が張られた弦楽器の胴の共鳴に応じたピーク波形が特定周波数範囲内に複数現れる周波数特性になるようにフィルタ係数が設定された第１フィルタと、前記周波数特性を変化させるためのフィルタ係数が設定された第２フィルタとを有し、
前記変更手段は、前記第２フィルタに設定されたフィルタ係数を変更する
ことを特徴とする請求項１に記載の信号処理装置。
【請求項３】
前記変更手段は、前記周波数特性における前記ピーク波形の各々のピーク値が互いに予め決められた関係を保つように、前記フィルタ係数を変更する
ことを特徴とする請求項１または２に記載の信号処理装置。
【請求項４】
利用者の操作を受け付ける操作子を有する操作手段をさらに具備し、
前記変更手段は、一の前記操作子によって受け付けられた一度の操作によって、前記フィルタ係数を変更する
ことを特徴とする請求項１乃至請求項３のいずれかに記載の信号処理装置。
【請求項５】
一の前記ピーク波形のピーク値が第１の値として現れる周波数特性に対応した第１のフィルタ係数、および当該ピーク値が第２の値として現れる周波数特性に対応した第２のフィルタ係数が少なくとも決められたテーブルを記憶する記憶手段をさらに具備し、
前記操作手段は、前記ピーク波形のピーク値を指定する操作を受け付け、
前記変更手段は、前記操作手段によって受け付けられた操作により指定された前記ピーク波形のピーク値が前記第１の値または前記第２の値ではない場合に、前記第１のフィルタ係数および前記第２のフィルタ係数を用いた補間処理により当該ピーク値に応じたフィルタ係数を算出し、前記フィルタに設定されたフィルタ係数を当該算出したフィルタ係数に変更する
ことを特徴とする至請求項４に記載の信号処理装置。
【請求項６】
請求項１乃至請求項５のいずれかに記載の信号処理装置と、
胴と、
弦と、
前記弦の振動を信号に変換して出力する変換手段と
を具備し、
前記取得手段によって取得される信号は、前記変換手段によって出力された信号であり、
前記フィルタは、前記胴の共鳴に応じた周波数特性になるように前記フィルタ係数が設定されている
ことを特徴とする弦楽器。
【発明の詳細な説明】
【技術分野】
【０００１】
本発明は、弦楽器の共鳴の効果をオーディオ信号に付与する技術に関する。
【背景技術】
【０００２】
アコースティックギターなどの弦楽器は、演奏時の音量が限られる。そのため、広い会場でライブ演奏をする場合には、マイクを用いて収音して増幅することで、音量を大きくすることが行われる。この方法では、他の楽器が存在する場合、他の楽器の音を拾ってしまったり、ハウリングをしてしまったりすることがある。そこで、ピックアップに圧電素子を用いて、弦振動を電気信号に変換して、その電気信号を増幅することで音量を大きくすることも行われる。一方、圧電素子を用いることで、弦の振動の電気信号を得ることができるが、これは弦の振動であり、箱鳴りと呼ばれる胴の共鳴音の影響が少なくなってしまう。そのため、弦楽器から直接聞こえる演奏音とは異なる音である場合が多かった。
そこで、ピックアップに圧電素子を用いて得られる電気信号を増幅するだけでなく、ＦＩＲ（Finite impulse response）フィルタにより畳み込み演算をすることにより、胴の共鳴音などを付加する技術が、特許文献１に開示されている。
【先行技術文献】
【特許文献】
【０００３】
【特許文献１】特開２００９−１６２９９７号公報
【発明の概要】
【発明が解決しようとする課題】
【０００４】
しかし、上記の特許文献の技術では、マイクで検出した信号と圧電素子からの信号の差分に応じた特性の伝達関数に応じて、ＦＩＲフィルタの特性が決まるようになっているため、ユーザが意図的に、胴の共鳴音の鳴り方を強めたりあるいは弱めたりすることはできなかった。
また、胴の共鳴音は、特定の周波数にピークを持つことが多い。そのため、仮にイコライザを利用して調整するとしても、特定のピークを探して、強めたり、弱めたりする必要があり、操作が複雑になっていた。さらには、胴の共鳴音を再現した電気信号を増幅して放音させると、その特定周波数のピーク成分の影響で弦楽器の胴、弦がさらに共鳴して、ハウリングを起こしてしまう場合があった。
【０００５】
本発明は、上述の事情に鑑みてなされたものであり、弦の振動を示す電気信号に弦楽器の共鳴音を付加するとともに、ユーザが意図的に胴の共鳴音の鳴り方を強めたりあるいは弱めたりする、さらにはその操作を簡単にすること、また、その共鳴音に起因して生じるハウリングが起きないようにすることを目的とする。
【課題を解決するための手段】
【０００６】
上述の課題を解決するため、本発明は、弦の振動を示す信号を取得する取得手段と、前記弦が張られた弦楽器の胴の共鳴に応じたピーク波形が特定周波数範囲内に複数現れる周波数特性になるようにフィルタ係数が設定され、前記取得手段によって取得された信号に対して畳み込み演算を行って出力するフィルタと、前記周波数特性における前記ピーク波形の各々の幅を保ったまま当該ピーク波形の各々のピーク値を変化させるように、前記フィルタ係数を変更する変更手段とを具備することを特徴とする信号処理装置を提供する。
【０００７】
また、別の好ましい態様において、前記フィルタは、前記弦が張られた弦楽器の胴の共鳴に応じたピーク波形が特定周波数範囲内に複数現れる周波数特性になるようにフィルタ係数が設定された第１フィルタと、前記周波数特性を変化させるためのフィルタ係数が設定された第２フィルタとを有し、前記変更手段は、前記第２フィルタに設定されたフィルタ係数を変更することを特徴とする。
【０００８】
また、別の好ましい態様において、前記変更手段は、前記周波数特性における前記ピーク波形の各々のピーク値が互いに予め決められた関係を保つように、前記フィルタ係数を変更することを特徴とする。
【０００９】
また、別の好ましい態様において、利用者の操作を受け付ける操作子を有する操作手段をさらに具備し、前記変更手段は、一の前記操作子によって受け付けられた一度の操作によって、前記フィルタ係数を変更することを特徴とする。
【００１０】
また、別の好ましい態様において、一の前記ピーク波形のピーク値が第１の値として現れる周波数特性に対応した第１のフィルタ係数、および当該ピーク値が第２の値として現れる周波数特性に対応した第２のフィルタ係数が少なくとも決められたテーブルを記憶する記憶手段をさらに具備し、前記操作手段は、前記ピーク波形のピーク値を指定する操作を受け付け、前記変更手段は、前記操作手段によって受け付けられた操作により指定された前記ピーク波形のピーク値が前記第１の値または前記第２の値ではない場合に、前記第１のフィルタ係数および前記第２のフィルタ係数を用いた補間処理により当該ピーク値に応じたフィルタ係数を算出し、前記フィルタに設定されたフィルタ係数を当該算出したフィルタ係数に変更することを特徴とする。
【００１１】
また、本発明は、上記のいずれかに記載の信号処理装置と、胴と、弦と、前記弦の振動を信号に変換して出力する変換手段とを具備し、前記取得手段によって取得される信号は、前記変換手段によって出力された信号であり、前記フィルタは、前記胴の共鳴に応じた周波数特性になるように前記フィルタ係数が設定されていることを特徴とする弦楽器を提供する。
【発明の効果】
【００１２】
本発明によれば、弦の振動を示す電気信号に弦楽器の共鳴音を付加するとともに、ユーザが意図的に胴の共鳴音の鳴り方を強めたりあるいは弱めたりする、さらにはその操作を簡単にすること、また、その共鳴音に起因して生じるハウリングが起きないようにすることができる。
【図面の簡単な説明】
【００１３】
【図１】本発明の実施形態におけるギター１の外観を説明する図である。
【図２】本発明の実施形態における信号処理装置１０の構成を説明するブロック図である。
【図３】本発明の実施形態におけるフィルタ部の周波数特性を説明する図である。
【図４】本発明の実施形態における設定テーブルを説明する図である。
【発明を実施するための形態】
【００１４】
＜実施形態＞
[外観構成]
図１は、本発明の実施形態におけるギター１の外観を説明する図である。ギター１は、弦２、ピックアップ３、および胴４を有するアコースティックギターに信号処理装置１０および操作部５が設けられた弦楽器である。また、ギター１は、信号処理装置１０から出力されるオーディオ信号Ｓｏｕｔを外部装置に供給する端子を有する。スピーカ、アンプなどを有する放音部１００と、この端子とをシールド線などにより接続することにより、ギター１は、オーディオ信号Ｓｏｕｔを放音部１００に供給して放音させる。
ピックアップ３は、圧電素子を有し、弦２の振動を圧電素子により電気信号（以下、オーディオ信号Ｓｉｎという）に変換して出力する変換手段である。
操作部５は、ロータリースイッチ、操作ボタンなどを有し、利用者による操作が受け付けられると、その操作内容を示す情報を出力する。
信号処理装置１０は、ピックアップから出力されるオーディオ信号Ｓｉｎ、および操作部５から出力される情報を取得する。続いて、信号処理装置１０の構成について図２を用いて説明する。
【００１５】
[信号処理装置１０の構成]
図２は、本発明の実施形態における信号処理装置１０の構成を説明するブロック図である。信号処理装置１０は、取得部１１、イコライザ部（ＥＱ）１２、フィルタ部１３、変更部１４、記憶部１５および出力部１６を有する。
取得部１１は、ピックアップ３から出力されるオーディオ信号Ｓｉｎを取得し、アナログデジタル変換を施して、イコライザ部１２およびフィルタ部１３にオーディオデータＳｄとして出力する。
イコライザ部１２は、オーディオデータＳｄに対して、設定内容に応じたイコライジング処理を施して、オーディオデータＳｅとして出力する。イコライザ部１２に設定される内容は、利用者による操作部５の操作によって決定される。
【００１６】
フィルタ部１３は、ＦＩＲフィルタ１３１、ＩＩＲ（Infinite impulse response）フィルタＡ１３２およびＩＩＲフィルタＢ１３３を有する。フィルタ部１３は、入力されるオーディオデータＳｄに対して、ＦＩＲフィルタ１３１、ＩＩＲフィルタＡ１３２、ＩＩＲフィルタＢ１３３により順に畳み込み演算処理を行って、オーディオ信号Ｓｆとして出力する。
フィルタ部１３は、ＦＩＲフィルタ１３１、ＩＩＲフィルタＡ１３２、ＩＩＲフィルタＢ１３３に設定されるフィルタ係数により、図３に示す周波数特性から１つを選択的に得られるようになっている。
【００１７】
図３は、本発明の実施形態におけるフィルタ部１３の周波数特性を説明する図である。図３における周波数特性を示すスペクトル（Ｓ１、Ｓ２、Ｓ３、Ｓ４、Ｓ５）は、横軸に周波数、縦軸にレベルとして示されている。ＦＩＲフィルタ１３１の周波数特性は、スペクトルＳ１である。
ここで、ＦＩＲフィルタ１３１に設定されるフィルタ係数は、ギターのピックアップからの信号と、マイクにより共鳴音が含まれるギターの音の収音内容とを比較して、この音響経路の伝達関数に一致するようにして得られたフィルタ係数である。フィルタ係数を得るための詳細の方法は、特許文献１（特開２００９−１６２９９７）に示されているため説明を省略する。本実施の形態では、フィルタ係数を固定したものとして説明しているが、特許文献１のように更新されるものとしてもよい。このようにして得られたフィルタ係数がＦＩＲフィルタ１３１に設定されることにより、ＦＩＲフィルタ１３１を経て得られる信号は、スペクトルＳ３に示す周波数特性になっている。すなわち、ＦＩＲフィルタ１３１は、このフィルタにより畳み込み演算を行うことによって、ギター１の胴４の共鳴音を再現することができるようになっている。
【００１８】
この実施の形態における出力信号の周波数特性は、胴４の共鳴音に対応した特徴的な複数のピーク波形（この例においては、２つのピークｆ１、ｆ２）を持つ。このピークｆ１、ｆ２は、低音域の周波数Ｒ１からＲ２の特定周波数範囲（例えば、５０から３５０Ｈｚ程度）に現れる複数のピーク波形である。この例においては、ピークｆ１、ｆ２のピーク値となる周波数は、それぞれ、約１１０Ｈｚ、２００Ｈｚである。
【００１９】
スペクトルＳ３に対して、スペクトルＳ１、Ｓ２、Ｓ４、Ｓ５は、ＩＩＲフィルタＡ１３２およびＩＩＲフィルタＢ１３３に設定されるフィルタ係数を変更することにより得られるフィルタ部１３の周波数特性である。これらのスペクトルの違いは、ピークｆ１、ｆ２のピーク波形の幅を保ったまま、ピーク波形のピーク値を変化させたものである。ピーク波形の幅とは、例えば、ピーク波形の半値幅を示しているが、ピーク値から予め決められた割合のレベルにおける幅であってもよいし、予め決められたレベルにおけるピーク波形の幅であってもよい。以下、このようにして、ピークｆ１、ｆ２における幅を保ったままピーク値を変化させることを、単に、ピークｆ１、ｆ２を変化させるという。このとき、ピークｆ１、ｆ２は、それぞれのピーク値が互いに予め決められた関係を保つようにして変化するようになっている。この例においては、ピーク値の変化割合が同じになるように決められている。
【００２０】
このようにして、フィルタ部１３は、ピークｆ１、ｆ２のピーク値を大きく、または小さくした周波数特性になるように、ＦＩＲフィルタ１３１により畳み込み演算された出力に対して、ＩＩＲフィルタＡ１３２およびＩＩＲフィルタＢ１３３に設定されたフィルタ係数も用いて演算を行うことにより、共鳴音のピークｆ１、ｆ２の影響により生じるハウリングを抑制したり、胴の共鳴感を強調したりすることができる。このとき、全体的にレベルを変化させるのではなく、ピークｆ１、ｆ２におけるピーク値を変化させることにより、他の周波数帯域を含めた共鳴音全体としての印象を大きく変化させることなく、胴の共鳴感を強調したりピークｆ１、ｆ２の影響により生じるハウリングを抑制したりすることができる。そして、ピークｆ１、ｆ２の強調時でもその強調する周波数帯域を適切にすることにより、ハウリングを抑えつつ胴４の共鳴音の特徴を強調することもできる。
ＩＩＲフィルタＡ１３２、ＩＩＲフィルタＢ１３３は、ＦＩＲフィルタによって胴４の共鳴音を付与された音響信号に対して、胴４の共鳴音の特徴を強調したり、あるいは弱くしたりするための、いわゆるパラメトリックイコライザのように機能するものであり、ＩＩＲフィルタＡ１３２は、周波数特性のうちピークｆ１を変化させるためのフィルタである。また、ＩＩＲフィルタＢ１３３は、周波数特性のうちピークｆ２を変化させるためのフィルタである。
【００２１】
図２に戻って説明を続ける。変更部１４は、利用者による操作部５の操作に応じて指定されたピーク値に応じて、フィルタ部１３におけるＩＩＲフィルタＡ１３２、ＩＩＲフィルタＢ１３３に設定されたフィルタ係数を変更する。この例においては、利用者は、操作部５における一の操作子、例えばロータリースイッチを回転操作することによりピーク値を指定する。このピーク値とは、この例においては、ピークｆ１のピーク値であるものとする。なお、利用者によって指定されるものは、ピーク値を変化させる内容であればよく、例えば、変化させる量を相対的に指定するものであってもよい。
変更部１４は、フィルタ係数を変更するときに、記憶部１５に記憶された設定テーブルを参照する。
【００２２】
図４は、本発明の実施形態における設定テーブルを説明する図である。設定テーブルは、ピーク波形のピーク値が第１の値として現れる周波数特性に対応した第１のフィルタ係数、およびそのピーク値が第２の値として現れる周波数特性に対応した第２のフィルタ係数が少なくとも決められたテーブルである。この例においては、設定テーブルは、図３に示すようにピークｆ１、ｆ２のピーク値が決められた各スペクトルの周波数特性に対応して、ＩＩＲフィルタＡ１３２、ＩＩＲフィルタＢ１３３に設定されるフィルタ係数が決められたテーブルである。この例においては、ＩＩＲフィルタＡ１３２、ＩＩＲフィルタＢ１３３に設定されるフィルタ係数として、周波数（Ｆ）、ゲイン（Ｇ）およびＱ値（Ｑ）が決められている。
【００２３】
ここで、周波数（Ｆ）についてのフィルタ係数は、増減させる周波数の中心値を指す値であり、ＩＩＲフィルタＡ１３２はピークｆ１の周波数がＦ１として、ＩＩＲフィルタB１３３はピークｆ２の周波数がＦ２としてそれぞれ設定されている。なお、ゲイン値やＱ値との関係から、ピーク値となる周波数からずらした値に設定してもよい。
ゲイン（Ｇ）についてのフィルタ係数は、Ｇ１３、Ｇ２３は「０ｄＢ」である。これにより、フィルタ部１３の周波数特性は、ＦＩＲフィルタ１３１における周波数特性となる。そして、ゲイン（Ｇ）についてのフィルタ係数は、Ｇ１１、Ｇ２１は例えば、「＋６ｄＢ」、Ｇ１２、Ｇ２２は例えば、「＋３ｄＢ」というように、胴共鳴を強調するようにピークｆ１、ｆ２のピーク値をどの程度大きくするか、また、Ｇ１４、Ｇ２４は「−３ｄＢ」、Ｇ１５、Ｇ２５は「−６ｄＢ」といったように、ピークｆ１、ｆ２のピーク値をどの程度小さくするかのフィルタ係数として決められている。これにより、ピークｆ１、ｆ２におけるそれぞれのピーク値の変化割合が同じになる。
【００２４】
Ｑ値（Ｑ）は、変動させる帯域幅を指す係数であり、上記の中心周波数Ｆ１、Ｆ２の値に対して−３ｄｂとなる周波数幅（半値幅）で規定している。また、Ｑ値（Ｑ）は、ピークｆ１、ｆ２の幅に応じた値として決められている。ここで、ピークｆ１、ｆ２の半値幅を一定に保つ場合にはＱ値は一定でよいことになるが、近傍の周波数成分のレベルが変化しないため、ピーク値が減少したときにピーク周辺のレベルに大きなディップが生じてしまうことがある。このような場合には、ゲインを低くするほどＱ値が大きくなるように決められる。例えば、図３に示す周波数特性において、ピークｆ２の高周波数側には小さなピークがあることが、スペクトルＳ５などからわかる。このような場合、この小さなピークの信号を増幅させないように、ピークｆ２に対応するＩＩＲフィルタＢ１３３についてのＱ値は、ピーク値を上げるように変化させるほど、帯域幅が狭くなるように設定テーブルが決められる。このようにすることにより、ギター１は、大きなディップが生じないようにすることができるため、出力するオーディオ信号Ｓｏｕｔにおける音質の変化を抑制することができる。
なお、これらの中心周波数Ｆ、ゲイン値Ｇ、Ｑ値の具体的な数値は、それぞれ一例であって、楽器に応じて、あるいは用途などに応じて適宜設定されるものである。
【００２５】
図２に戻って説明を続ける。変更部１４は、上述した設定テーブルを参照して、ＩＩＲフィルタＡ１３２およびＩＩＲフィルタＢ１３３に設定されたフィルタ係数を変更する。このとき、設定テーブルの対応関係に、利用者によって指定されたピーク値に対応するスペクトルが存在する場合には、変更部１４は、ＩＩＲフィルタＡ１３２およびＩＩＲフィルタＢ１３３に設定されたフィルタ係数を、そのスペクトルに対応するフィルタ係数に変更する。
このようにして変更部１４は、ＩＩＲフィルタＡ１３２およびＩＩＲフィルタＢ１３３に設定されたフィルタ係数を変更して、フィルタ部１３の周波数特性を図３に示す各スペクトルに変更する。
【００２６】
一方、設定テーブルの対応関係に、利用者によって指定されたピーク値に対応するスペクトルが存在しない場合には、変更部１４は、指定されたピーク値に近いピーク値を持つ複数のスペクトルを選択する。そして、変更部１４は、その複数のスペクトルに対応するパラメータを補完し、この補完されたパラメータから演算されたフィルタ係数を利用する。この補間処理は、２点間の平均でもよいし、複数点を結ぶ近似式などを用いてもよく、公知のどのような方法を用いてもよい。
変更部１４は、ＩＩＲフィルタＡ１３２およびＩＩＲフィルタＢ１３３に設定されたフィルタ係数を、算出したフィルタ係数に変更する。
【００２７】
記憶部１５は、不揮発性メモリなどの記憶手段であって、上記設定テーブルを記憶している。この設定テーブルは、ユーザが書き換えられるようにしてもよい。
出力部１６は、オーディオデータＳｅおよびオーディオデータＳｆを取得し、それぞれデジタルアナログ変換処理を施し、それぞれ設定された増幅率で増幅して加算し、オーディオ信号Ｓｏｕｔとしてギター１の端子に出力する。これにより、出力部１６は、この端子に接続された放音部１００にオーディオ信号Ｓｏｕｔを供給する。
上述の増幅率は、利用者による操作部５の操作により指示された内容に応じて設定される。このとき、いずれか一方のオーディオデータについてオーディオ信号Ｓｏｕｔに含まれないようにする場合には、出力部１６は、そのオーディオデータから変換されたオーディオ信号に対しての増幅率を０に設定してもよい。また、そのオーディオデータに対して処理を行う経路上の構成は、その処理を停止するようにしてもよい。
以上が、信号処理装置１０の構成についての説明である。
【００２８】
このように、本発明の実施形態におけるギター１は、ピックアップ３から出力されたオーディオ信号Ｓｉｎに対して、フィルタ部１３における畳み込み演算を行うことにより、胴４の共鳴音を付加したオーディオ信号Ｓｏｕｔを出力することができる。放音部１００からオーディオ信号Ｓｏｕｔが放音されると、ピークｆ１、ｆ２の影響により、ハウリングが発生する場合があるが、その場合には、利用者が操作部５を操作して、ピークｆ１、ｆ２のピーク値を小さくしてハウリングを抑制することができる。このとき、変更部１４は、ピークｆ１、ｆ２以外についてのレベルが大きく下がらない周波数特性になるように、フィルタ部１３に設定されるフィルタ係数を変更する。したがって、ギター１は、胴４の共鳴音の印象を大きく変化させることなく、ハウリングを抑制できるオーディオ信号Ｓｏｕｔを放音部１００に供給することができる。これとは逆にピークｆ１、ｆ２のピーク値を大きくして、胴４の共鳴音を強調することもできる。
【００２９】
＜変形例＞
以上、本発明の実施形態について説明したが、本発明は以下のように、さまざまな態様で実施可能である。
[変形例１]
上述した実施形態においては、フィルタ部１３の周波数特性は、ピークｆ１、ｆ２のピーク値が互いに予め決められた関係を保つように連動して変化するようになっていたが、ピークｆ１のピーク値とピークｆ２のピーク値とが連動して変化しないようになっていてもよい。
この場合には、記憶部１５は、ピークｆ１のピーク値とＩＩＲフィルタＡ１３２に設定されるフィルタ係数との対応関係を定めた設定テーブルＡ、ピークｆ２のピーク値とＩＩＲフィルタＢ１３３に設定されるフィルタ係数との対応関係を定めた設定テーブルＢとを記憶する。そして、利用者による操作部５の操作により、ピークｆ１のピーク値とピークｆ２のピーク値とが指定されると、変更部１４は、設定テーブルＡを参照して、ＩＩＲフィルタＡ１３２に設定されたフィルタ係数を変更し、ＩＩＲフィルタＢ１３３に設定されたフィルタ係数を変更する。
このようにすれば、ギター１は、胴４の共鳴音の印象を大きく変化させたオーディオ信号Ｓｏｕｔを放音部１００に供給することもできる。
【００３０】
[変形例２]
上述した実施形態においては、フィルタ部１３は、ＦＩＲフィルタ１３１、ＩＩＲフィルタＡ１３２、ＩＩＲフィルタＢ１３３が直列に接続された構成になっていたが、このような構成に限られるものではない。例えば、フィルタ部１３は、１つのフィルタにより構成されていてもよく、さらに多くのフィルタにより構成されていてもよい。すなわち、図３に示すような胴４の共鳴に応じたピーク波形が特定周波数範囲内に複数現れる周波数特性を持ち、フィルタ係数を変更することで、そのピーク波形の幅を保つようにしてピーク値の大きさを変化させることが可能な構成であれば、どのようなフィルタを用いてもよい。
【００３１】
[変形例３]
上述した実施形態においては、記憶部１５は、ピーク波形のピーク値とフィルタ係数との対応関係を定めた設定テーブルを記憶していたが、このピーク値とフィルタ係数との対応関係を演算式として記憶してもよい。この場合には、変更部１４は、利用者によって指定されたピーク値に対応するフィルタ係数を演算式により算出して、フィルタ部１３に設定されたフィルタ係数を変更するようにすればよい。このようにすれば、実施形態において述べたような補間処理は不要である。
【００３２】
[変形例４]
上述した実施形態においては、信号処理装置１０は、ギター１の一部の構成であったが、ギター１の一部の構成でなくてもよい。この場合には、信号処理装置１０は、ギターの弦の振動を示す信号を取得するための入力端子、および操作部５に相当する構成を有するようにしてもよい。また、記憶部１５は、様々な機種のギターにおける胴の共鳴音を再現するための周波数特性となるＦＩＲフィルタ１３１用のフィルタ係数、および各ギターに対応する設定テーブルを記憶するようにしてもよい。このようにすれば、変更部１４は、取得部１１によって取得されるオーディオ信号Ｓｉｎを出力するギターの機種を認識して、フィルタ部１３にフィルタ係数を設定すればよい。ここで、変更部１４は、利用者による操作部５の操作により指定された機種を、ギターの機種として認識すればよい。
このようにすれば、利用者は、信号処理装置１０を様々な機種のギターに接続して用いることができる。
【００３３】
[変形例５]
上述した実施形態においては、ギター１は、弦楽器の一例として説明したものであり、ギターなどの撥弦楽器以外であってもよい。本発明の弦楽器としては、バイオリンなどの擦弦楽器、ピアノなどの打弦楽器など、発音源として弦を用い、胴などの筐体部分が弦の振動により共鳴する弦楽器であればよい。そして、弦楽器は、弦の振動を電気信号に変換する変換手段が設けられていればよい。
【００３４】
[変形例６]
上述した実施形態において、変更部１４は、オーディオデータＳｄを解析して、ピークｆ１、ｆ２の周波数のレベルが一定値を超えた場合には、ハウリングを起こしているものとして認識し、このレベルが一定値以下になるように、フィルタ部１３のフィルタ係数を変更して、ピークｆ１、ｆ２のピーク値を小さくしてもよい。
【符号の説明】
【００３５】
１…ギター、２…弦、３…ピックアップ、４…胴、５…操作部、１０…信号処理装置、１１…取得部、１２…イコライザ部、１３…フィルタ部、１３１…ＦＩＲフィルタ、１３２…ＩＩＲフィルタＡ、１３３…ＩＩＲフィルタＢ、１４…変更部、１５…記憶部、１６…出力部、１００…放音部
【図１】
2011197325.tif 000003
【図２】
2011197325.tif 000004
【図３】
2011197325.tif 000005
【図４】
2011197325.tif 000006